(57)【特許請求の範囲】
【請求項１】
既設の波形スレート板屋根材にこれを被覆する金属板屋根材を設置する屋根補修工法において、既設のスレート板屋根材の山部を跨ぐ断面ほぼ山形で高さを上記山部よりも高くし、左右の脚端を上記スレート板屋根材の谷部に沿う断面形状とした台座部と、該台座部の左右両側から上方へ延出して上端に座面を形成した支持部を備え、上記台座部の頂端に貫通穴を設けたクランプ金具を用い、上記クランプ金具を上記スレート板屋根材の山部を跨いで左右の脚端で上記山部の両側の谷部に支持させるとともに、上記山部から突出する既設のフックボルトの上端を上記台座部頂端の貫通穴に挿通せしめ、上記フックボルトの上端と上記台座部頂端とを係止せしめる係止具として、リング状で内周に複数の板ばねの爪が中心方向へ突出する板ばねナットを用い、上記フックボルトの上端を貫通させた上記板ばねナットを上記頂端に押付けるとともに上記爪の先端を上記フックボルトの上端のねじ軸に係止せしめて上記クランプ金具を上記スレート板屋根材に固定し、上記スレート板屋根材の複数の山部をそれぞれ跨いで固定したクランプ金具に長尺の金属板屋根下地材を架設して上記クランプ金具の座面にねじ締め固定し、固定された上記下地材の上に金属板屋根材を載置し、該金属板屋根材を上記下地材にねじ締め固定することを特徴とする屋根補修工法。
【請求項２】
上記クランプ金具として、中央に上記台座部を備えた断面ほぼＷ字形で、上記台座部の頂端を平坦面とし、左右の上記脚端を上記頂端よりも上方へ延出せしめて上記支持部を形成したクランプ金具を用いる請求項１記載の屋根補修工法。
【発明の詳細な説明】
【０００１】
【発明の属する技術分野】
本発明は、工場等の老朽化した既設の波形スレート板屋根材をとり壊し撤去することなく、その上に新しい金属板屋根材を設置して補修する屋根補修工法に関するものである。
【０００２】
【従来の技術】
大型工場、倉庫、体育館等のスレート板屋根材が古くなったとき、これを撤去して新しい屋根材を設置すると、工事期間中、工場での操業や、倉庫等の使用が不可能となる。そこで既設のスレート板屋根材を撤去することなく、その上に新しい屋根材を重ねて設置することが行われている。
【０００３】
この場合、既設のスレート板屋根材の上に新しい金属板屋根材を重ね合せ、上から長いドリルタッピングネジを金属板屋根材およびスレート板屋根材を貫通させ、スレート板屋根材を支持している母屋に締付けて固定すると、建物内に施工くず、ごみ、ちり等が落下する。従って、操業中の工場や使用中の倉庫、体育館などに落下物防止用のテントを張るなど、大がかりな養生が必要となる。しかも、ドリルタッピングネジによる穴あけや締付けで、老朽化した既設のスレート板屋根材に割れ、ひび、欠け等が生じることがある。
【０００４】
そこで、既設のスレート板屋根材に穴あけを行うことなく新しい金属板屋根材を設置することができる屋根補修工法が提案されている（特開平１０−２１９９３６号）。
【０００５】
この工法は、クランプ金具を介して既設のスレート板屋根材の上に新しい金属板屋根材を設置するもので、クランプ金具として、図６に示すように断面箱形で上部を金属板屋根材３の山部３１に沿う断面形状に形成するとともに、底面部２１にはその前後の端縁に開口する切欠き２２を形成したクランプ金具２を用い、既設のスレート板屋根材１の山部１１を貫通してこれを母屋６に固定する既設のフックボルト５の上端のナット座金５１と、上記スレート板屋根材１の山部１１との間にクランプ金具２の切欠き２２を嵌め込んで、クランプ金具２をフックボルト５の先端軸まわりに固定し、固定されたクランプ金具２の上に金属板屋根材３を重ね合せてドリルタッピングネジ３０等によりクランプ金具２にねじ締め固定する。この工法では既設のスレート板屋根材１に穴あけがなされないから、穴あけに伴う不都合が発生しない点において有利である。
【０００６】
しかしながら、この工法において、クランプ金具２の取付けに際し、ナット座金５１とスレート板屋根材１の山部１１との間のパッキン材５２に切欠き２２をくい込ませるようにしてクランプ金具を打込むと、その衝撃で老朽化したスレート板屋根材１に割れやひびが生じるおそれがあるため、作業者はスレート板が損傷しないように注意しながら打込みをしなければならない。また金属板屋根材３を設置した後において、金属板屋根材３の荷重がスレート板屋根材１の山部１１に集中するので、この荷重を分散させるために比較的小さいピッチ間隔でクランプ金具２を設けて金属板屋根材３を支持しなければならない。
【０００７】
【発明が解決しようとする課題】
そこで本発明は、既設のスレート板屋根材に割れ、ひび、欠け等を発生させるおそれなく、作業性良好、かつ取付安定性良好に、また施工後におけるスレート板屋根材の耐久性も確保される、老朽化スレート板屋根の補修工法を提供することを課題としてなされたものである。
【０００８】
本発明は、既設の波形スレート板屋根材にこれを被覆する金属板屋根材を設置する屋根補修工法において、既設のスレート板屋根材の山部を跨ぐ断面ほぼ山形で高さを上記山部よりも高くし、左右の脚端を上記スレート板屋根材の谷部に沿う断面形状とした台座部と、該台座部の左右両側から上方へ延出して上端に座面を形成した支持部を備え、上記台座部の頂端に貫通穴を設けたクランプ金具を用い、上記クランプ金具を上記スレート板屋根材の山部を跨いで左右の脚端で上記山部の両側の谷部に支持させるとともに、上記山部から突出する既設のフックボルトの上端を上記台座部頂端の貫通穴に挿通せしめ、上記フックボルトの上端と上記台座部頂端とを係止せしめる係止具として、リング状で内周に複数の板ばねの爪が中心方向へ突出する板ばねナットを用い、上記フックボルトの上端を貫通させた上記板ばねナットを上記頂端に押付けるとともに上記爪の先端を上記フックボルトの上端のねじ軸に係止せしめて上記クランプ金具を上記スレート板屋根材に固定し、上記スレート板屋根材の複数の山部をそれぞれ跨いで固定したクランプ金具に長尺の金属板屋根下地材を架設して上記クランプ金具の座面にねじ締め固定し、固定された上記下地材の上に金属板屋根材を載置し、該金属板屋根材を上記下地材にねじ締め固定する（請求項１）。
【０００９】
クランプ金具は、左右の脚端を既設のスレート板屋根材の谷部に支持させて、既設のフックボルトの上端に係止せしめて固定するから、スレート板屋根材に損傷を与えるおそれはなく、かつ取付状態が安定である。また下地材が新しい金属板屋根材の設置作業の足場となり施工作業性が良好である。かつ係止具として板ばねナットを用い既設のフックボルトを利用することで作業性容易にクランプ金具を既設のスレート板屋根材に固定することができる。
【００１１】
上記クランプ金具として、中央に上記台座部を備えた断面ほぼＷ字形で、上記台座部の頂端を平坦面とし、左右の上記脚端を上記頂端よりも上方へ延出せしめて上記支持部を形成したクランプ金具を用いる（請求項２）。クランプ金具をＷ字形とすることで、クランプ金具を１枚の金属板で形成することができる。
【００１３】
【発明の実施の形態】
図２に示すように、既設の波形のスレート板屋根材１は、母屋６に載置され、下端が母屋６に係合し、上端がスレート板屋根材１の山部１１を貫通して突出するフックボルト５の上端にナット座金５１およびパッキン材５２を介してナット５０を締込むことで母屋６に固定されている。
【００１４】
新設の金属板屋根材３は、スレート板屋根材１上にクランプ金具２Ａを固定し、クランプ金具２Ａ上に金属板屋根材３の下地材７を設置し、この下地材７上に設置してある。
【００１５】
図１および図２に示すように、クランプ金具２Ａは厚さ２．０〜２．５mm程度の鋼板を断面ほぼＷ字形に成形したもので、中央の台座部２３はスレート板屋根材１の山部１１を跨ぐ断面山形で、高さは山部１１よりも高く、頂端２３１は平坦面としてあり、頂端面に長穴状の貫通穴２３２が形成してある。クランプ金具２Ａの左右の脚端２４は、スレート板屋根材１の谷部１２に沿う凹状曲面としてある。脚端２４は反転するように上記頂端２３１よりも上方へ延出し、上端が外方へ水平方向に屈曲し、上記下地材７を支持する座面２５１を備えた支持部２５を形成している。
【００１６】
クランプ金具２Ａは、図２に示すように、頂端２３１の貫通穴２３２（図１）にスレート板屋根材１の山部１１から上方へ突出するフックボルト５の上端を挿通させて山部１１を跨ぐようにして配して左右の脚端２４で山部１１の左右の谷部１２に支持せしめ、板ばねナット８を用いてスレート板屋根材１上に固定する。
【００１７】
板ばねナット８はばね鋼板からなり、図３に示すようにリング部８１の内周から複数の爪８２が中心に向け斜め上方に突出している。板ばねナット８は、爪８１を押上げるようにしてその中心に既設のフックボルト５の先端を挿通させ、リング部８１を座金８３を介してクランプ金具２Ａの頂端２３１に押付けた状態で爪８２の先端をフックボルト５の先端のねじ軸に係止させる。これによりクランプ金具２Ａは、左右の脚端２４がスレート板屋根材１の谷部１２に圧接し、スレート板屋根材１に載置固定される。このようにして、クランプ金具２Ａを、図１に示すように、スレート板屋根材１の山部１１の数列おきに、かつ山部１１と直交する方向に直線位置に配列固定する。
【００１８】
このようにして配置したクランプ金具２Ａには、これらをかけ渡すようにして金属板屋根下地材７を設置する。下地材７は図１に示すように断面ほぼＺ字形の長尺体で、その上側の水平面７１を各クランプ金具２Ａの支持部２５の座面２５１に載置し、その上からドリルタッピングネジ９ａをねじ込むことで下地材７をクランク金具２Ａ上に固定する。このようにして複数本の下地材７を互いに山部１１長手方向に所定の間隔をおいて平行に設置する。
【００１９】
上記下地材７の上に、新設の金属板屋根材３を載置固定する。固定は、図１および図２に示すように、金属板屋根材３の山部３１の上から、山部３１から下地材７へとドリルタッピングネジ９ｂをねじ込むことにより行う。この場合、ドリルタッピングネジ９ｂの頭部と上記山部３１との間に下端縁が山部３１に沿う形状の座金９１を介在せしめる。
【００２０】
しかしてこの屋根補修工法によれば、既設のスレート板屋根材１に穴あけをすることなく、またクランプ金具２Ａの取付けに際してスレート板屋根材１に衝撃を与えることなく、新しい金属板屋根材３を設置することができる。クランプ金具２Ａは、左右の脚端２４がスレート板屋根材１の谷部１２で支持されるから荷重が分散され、かつ谷部１２は母屋６で支持されているから、谷部１２がこれにかかる荷重で破損することはない。また下地材７は金属板屋根材３を設置するときの作業足場となり、かつ下地材７はスレート板屋根材１の山部１１と直交する方向に直線状に設置されているから、金属板屋根材３のねじ締め作業が容易になされ得る。
【００２１】
図４および図５は、二部材からなるクランプ金具を用いた本発明の実施形態を示すものである。
【００２２】
クランプ金具２Ｂは、スレート板屋根材１の山部１１を跨ぐ山形で頂端２６１を平坦面とし、左右の脚端２７がスレート板屋根材１の谷部１２に沿う湾曲形状をなす台座部２６と、これとは別体で断面ほぼ逆ハット形の支持部２８で構成してある。支持部２８の左右の上端は水平面をなす座面２８１としてある。支持部２８の幅寸法は台座部２６のそれよりも小さくしてある。支持部２８の平坦な底面２８２には、台座部２６の頂端２６１に形成した貫通穴２６２と対応する貫通穴２８３が形成してある。
【００２３】
クランプ金具２Ｂを用いて屋根補修を行うに際しては、既設のフックボルト５の先端を頂端２６１の貫通穴２６２に挿通せしめてスレート板屋根材１の山部１１を跨ぐようにし、谷部１２に左右の脚端２７を支持せしめてクランプ金具２Ｂをスレート板屋根材１に載置する。
【００２４】
次に支持部２８の貫通穴２８３に、上記頂端２６１から突出するフックボルト５の先端を挿通させて支持部２８の底面２８２を台座部２６の頂端２６１の上に重ね合せる。
【００２５】
続いて、先の実施形態におけると同様の板ばねナット８を用いて、支持部２８と一体に台座部２６をスレート板屋根材１に固定する。そして直線位置に配置固定された複数のクランプ金具２Ｂに架け渡すようにして長尺の下地材７を各クランプ金具２Ｂの座面２８２上に載置してドリルタッピングネジ９ａで固定する。
【００２６】
そして最後に、先の実施形態におけると同様に、新しい金属屋根材３を下地材７の上にドリルタッピングネジ９ｂでねじ締め固定する。
【００２７】
本実施形態によれば、先の実施形態と同様の作業効果が奏される他に、本実施形態で用いるクランプ金具２Ｂは先の実施形態で用いるクランプ金具２Ａよりも幅寸法を小型化することができるとともに、軽量化することができる。また各台座部２６同士および各支持部２８同士を重ね合せることで、施工前におけるクランプ金具２Ｂの保管および搬送のためのスペースが小さくてすむ。
【００２８】
なおクランプ金具２Ｂは、台座部２６と支持部２８を予め溶接し一体化したものとしてもよい。一体としたものは分離タイプと比べて、相互の重ね合わせスペースは大きくなるが、スレート板屋根材への取付作業の手数は少なくてすむ。
【００２９】
【発明の効果】
本発明の屋根補修工法によれば、既設のスレート板屋根材に穴あけを行なわないから、穴あけに伴うスレート板屋根材の破損のおそれがなく、かつ工事期間においても建築物の使用が可能である。
【００３０】
また、クランプ金具の取付け時にクランプ金具やスレート板屋根材に衝撃が加えられないから、安心して取付作業を行うことができる。また金属板屋根下地材や新設の金属板屋根材を支持するクランプ金具からの荷重はスレート板屋根材の谷部に分散して作用するからスレート板屋根材の荷重負担は小さくてすむ。
【００３１】
また、各クランプ金具間に金属板屋根材の下地材を架設したので、これが金属板屋根材設置作業の足場となり、かつ金属板屋根材は直線状に延びる下地材にタッピングネジで固定すればよいから、金属板屋根材で覆われた各クランプ金具の位置を確認した上でこれにねじ締め固定するよりも遙かに作業性がよい。
【図面の簡単な説明】
【図１】本発明の第１の工法による補修屋根の分解斜視図である。
【図２】第１の工法により補修された屋根の要部正面図である。
【図３】第１の工法に用いる板ばねナットの斜視図である。
【図４】本発明の第２の工法に用いるクランプ金具の斜視図である。
【図５】本発明の第２の工法により補修された屋根の要部正面図である。
【図６】（Ａ）は従来の工法により補修された屋根の要部正面図、（Ｂ）は従来の工法に用いるクランプ金具の底面図である。
【符号の説明】
１  既設のスレート板屋根材
１１  山部
１２  谷部
２，２Ａ，２Ｂ  クランプ金具
２３，２６  台座部
２３１，２６１  頂端
２３２，２６２  貫通穴
２４，２７  脚端
２５，２８  支持部
２５１，２８１  座面
３  新設の金属板屋根材
５  フックボルト
６  母屋
７  金属板屋根下地材
８  係止具（根ばねナット）
９ａ，９ｂ  ドリルタッピングネジ
【図１】
0004686020.tif 000002
【図２】
0004686020.tif 000003
【図３】
0004686020.tif 000004
【図４】
0004686020.tif 000005
【図５】
0004686020.tif 000006
【図６】
0004686020.tif 000007